(57)【特許請求の範囲】
【請求項１】
ノズル形成面に形成される複数のノズルから記録媒体にインクを吐出する記録ヘッドと、
上記記録ヘッドによるインクの吐出性能を維持すべく上記記録ヘッドに対して当接する当接位置と、上記記録ヘッドに対して離間する離間位置との間で移動される被移動体と、
上記被移動体を上記当接位置と上記離間位置との間で移動させる移動機構と、
上記記録媒体上に画像を記録するための記録指示を取得する取得部と、
当該インクジェット記録装置に供給される電力を外部の電力源から取得する電源部と、
記憶部と、
制御部と、を備え、
上記記憶部には、維持時間として第１時間が記憶されており、
上記制御部は、
上記取得部によって上記記録指示が取得された場合に、上記記録指示に係る画像を上記記録媒体上に記録するように上記記録ヘッドの吐出を制御する記録処理と、
上記記録指示に係る上記記録処理が完了してから、上記記憶部に記憶されている維持時間が経過した場合に、上記被移動体を上記離間位置から上記当接位置に移動させるように上記移動機構を制御する移動処理と、
上記電源部による電力の取得が開始された場合に、上記被移動体が上記当接位置にあるか否かを判定する判定処理と、
上記判定処理により、上記被移動体が上記当接位置にないと判定された回数をインクリメントしてカウントするカウント処理と、を実行し、
上記判定処理により、上記被移動体が上記当接位置にないと判定された回数が所定値の倍数に達する毎に、上記記憶部に記憶されている上記維持時間より短い時間を当該維持時間として上記記憶部に記憶させる変更処理と、を実行するインクジェット記録装置。
【請求項２】
上記制御部は、
上記変更処理において、上記カウント処理によりカウントされた回数が閾値未満である場合には、上記カウント処理によりカウントされた回数が所定値の倍数に達する毎に、上記記憶部に記憶されている上記維持時間から所定の第１減少幅を減算した値を当該維持時間として上記記憶部に記憶させ、上記カウント処理によりカウントされた回数が上記閾値以上である場合には、上記カウント処理によりカウントされた回数が所定値の倍数に達する毎に、上記記憶部に記憶されている上記維持時間から上記第１減少幅より大きい第２減少幅を減算した値を当該維持時間として上記記憶部に記憶させる請求項１に記載のインクジェット記録装置。
【請求項３】
ノズル形成面に形成される複数のノズルから記録媒体にインクを吐出する記録ヘッドと、
上記記録ヘッドによるインクの吐出性能を維持すべく上記記録ヘッドに対して当接する当接位置と、上記記録ヘッドに対して離間する離間位置との間で移動される被移動体と、
上記被移動体を上記当接位置と上記離間位置との間で移動させる移動機構と、
上記記録媒体上に画像を記録するための記録指示を取得する取得部と、
当該インクジェット記録装置に供給される電力を外部の電力源から取得する電源部と、
記憶部と、
制御部と、を備え、
上記記憶部には、維持時間として第１時間が記憶されており、
上記制御部は、
上記取得部によって上記記録指示が取得された場合に、上記記録指示に係る画像を上記記録媒体上に記録するように上記記録ヘッドの吐出を制御する記録処理と、
上記記録指示に係る上記記録処理が完了してから、上記記憶部に記憶されている維持時間が経過した場合に、上記被移動体を上記離間位置から上記当接位置に移動させるように上記移動機構を制御する移動処理と、
上記電源部による電力の取得が開始された場合に、上記被移動体が上記当接位置にあるか否かを判定する判定処理と、
上記判定処理により、上記被移動体が上記当接位置にないと判定された回数をインクリメントするカウント処理と、
上記判定処理により、上記被移動体が上記当接位置にないと判定された回数が所定の複数回数に達した場合に、上記第１時間より短い時間を上記維持時間として上記記憶部に記憶させる変更処理と、を実行し、
上記判定処理により、上記被移動体が上記当接位置にないと判定された後の、次の上記判定処理により、上記被移動体が上記当接位置にあると判定された場合、上記カウント処理によりカウントされた回数が初期値にリセットされるインクジェット記録装置。
【請求項４】
ノズル形成面に形成される複数のノズルから記録媒体にインクを吐出する記録ヘッドと、
上記記録ヘッドによるインクの吐出性能を維持すべく上記記録ヘッドに対して当接する当接位置と、上記記録ヘッドに対して離間する離間位置との間で移動される被移動体と、
上記被移動体を上記当接位置と上記離間位置との間で移動させる移動機構と、
上記記録媒体上に画像を記録するための記録指示を取得する取得部と、
当該インクジェット記録装置に供給される電力を外部の電力源から取得する電源部と、
記憶部と、
制御部と、を備え、
上記記憶部には、維持時間として第１時間が記憶されており、
上記制御部は、
上記取得部によって上記記録指示が取得された場合に、上記記録指示に係る画像を上記記録媒体上に記録するように上記記録ヘッドの吐出を制御する記録処理と、
上記記録指示に係る上記記録処理が完了してから、上記記憶部に記憶されている維持時間が経過した場合に、上記被移動体を上記離間位置から上記当接位置に移動させるように上記移動機構を制御する移動処理と、
上記電源部による電力の取得が開始された場合に、上記被移動体が上記当接位置にあるか否かを判定する判定処理と、
上記判定処理により、上記被移動体が上記当接位置にないと判定された回数が少なくとも１回以上となった場合に、上記第１時間より短い第２時間を上記維持時間として上記記憶部に記憶させる変更処理と、
上記記録指示に係る上記記録処理が開始された後の所定時間内に、上記取得部により記録指示が取得された回数をカウントする取得数カウント処理と、を実行し、
上記取得数カウント処理においてカウントされた回数が所定回数に達した場合に、上記変更処理において、上記記憶部に記憶されている上記維持時間より長い時間を当該維持時間として上記記憶部に記憶させるインクジェット記録装置。
【請求項５】
上記制御部は、上記取得数カウント処理において、
上記記録指示に係る上記記録処理が開始された後であって且つ
上記取得部により上記記録指示が取得された時から、当該記録指示に係る上記記録処理が完了してから上記第１時間が経過した時までの上記所定時間内に、上記取得部により記録指示が取得された回数をカウントする請求項４に記載のインクジェット記録装置。
【請求項６】
上記制御部は、上記取得数カウント処理において、
上記記録指示に係る上記記録処理が完了した後の上記移動処理が実行された時から、上記記録指示に係る上記記録処理が完了してから上記第１時間が経過した時までの上記所定時間内に、上記取得部により記録指示が取得された回数をカウントする請求項４に記載のインクジェット記録装置。
【請求項７】
ノズル形成面に形成される複数のノズルから記録媒体にインクを吐出する記録ヘッドと、
上記記録ヘッドによるインクの吐出性能を維持すべく上記記録ヘッドに対して当接する当接位置と、上記記録ヘッドに対して離間する離間位置との間で移動される被移動体と、
上記被移動体を上記当接位置と上記離間位置との間で移動させる移動機構と、
上記記録媒体上に画像を記録するための記録指示を取得する取得部と、
当該インクジェット記録装置に供給される電力を外部の電力源から取得する電源部と、
記憶部と、
制御部と、を備え、
上記記憶部には、維持時間として第１時間が記憶されており、
上記制御部は、
上記取得部によって上記記録指示が取得された場合に、上記記録指示に係る画像を上記記録媒体上に記録するように上記記録ヘッドの吐出を制御する記録処理と、
上記記録指示に係る上記記録処理が完了してから、上記記憶部に記憶されている維持時間が経過した場合に、上記被移動体を上記離間位置から上記当接位置に移動させるように上記移動機構を制御する移動処理と、
上記電源部による電力の取得が開始された場合に、上記被移動体が上記当接位置にあるか否かを判定する判定処理と、
前回の上記判定処理において上記被移動体が上記当接位置にあると判定された後に、上記被移動体が上記当接位置にないと判定された回数が所定回数に達した場合に、上記第１時間より短い第２時間を上記維持時間として上記記憶部に記憶させる変更処理と、を実行する、インクジェット記録装置。
【請求項８】
ノズル形成面に形成される複数のノズルから記録媒体にインクを吐出する記録ヘッドと、
上記記録ヘッドによるインクの吐出性能を維持すべく上記記録ヘッドに対して当接する当接位置と、上記記録ヘッドに対して離間する離間位置との間で移動される被移動体と、
上記被移動体を上記当接位置と上記離間位置との間で移動させる移動機構と、
上記記録媒体上に画像を記録するための記録指示を取得する取得部と、
当該インクジェット記録装置に供給される電力を外部の電力源から取得する電源部と、
記憶部と、
制御部と、を備え、
上記記憶部には、維持時間として第１時間が記憶されており、
上記制御部は、
上記取得部によって上記記録指示が取得された場合に、上記記録指示に係る画像を上記記録媒体上に記録するように上記記録ヘッドの吐出を制御する記録処理と、
上記記録指示に係る上記記録処理が完了してから、上記記憶部に記憶されている維持時間が経過した場合に、上記被移動体を上記離間位置から上記当接位置に移動させるように上記移動機構を制御する移動処理と、
上記電源部による電力の取得が開始された場合に、上記被移動体が上記当接位置にあるか否かを判定する判定処理と、
上記判定処理により、上記被移動体が上記当接位置にないと判定された回数が少なくとも１回以上となった場合に、上記第１時間より短い第２時間を上記維持時間として上記記憶部に記憶させる変更処理と、
上記記録指示に係る上記記録処理が開始された後の所定時間内に、上記取得部により記録指示が取得された回数が所定回数に達した場合に、上記変更処理において、上記記憶部に記憶されている上記維持時間より長い時間を当該維持時間として上記記憶部に記憶させるインクジェット記録装置。
【請求項９】
上記被移動体は、上記記録ヘッドと当接して上記ノズル形成面を覆う当接位置と当該ノズル形成面から離間する離間位置との間を移動するキャップである請求項１から８のいずれかに記載のインクジェット記録装置。
【請求項１０】
上記記録ヘッドは、主走査方向に移動するように構成され、
上記主走査方向上の収納位置にある上記記録ヘッドの移動を規制する規制位置と、上記記録ヘッドの移動を規制しない非規制位置との間で移動可能な規制部材を備え、
上記移動機構は、上記主走査方向に移動する上記記録ヘッドの力を受けて上記記録ヘッドが収納位置にあるときに上記キャップを上記当接位置に移動させ、上記記録ヘッドが上記収納位置から離れるときに上記キャップを上記離間位置に移動させる機構である請求項９に記載のインクジェット記録装置。
【請求項１１】
上記記録ヘッドは、主走査方向に移動するように構成され、
上記ノズル形成面を覆うキャップ位置と当該ノズル形成面から離間するアンキャップ位置との間を移動するキャップと、  
上記主走査方向に移動する上記記録ヘッドの力を受けて上記記録ヘッドが収納位置にあるときに上記キャップをキャップ位置に移動させ、上記記録ヘッドが上記収納位置から離れるときに上記キャップをアンキャップ位置に移動させる機構と、を備え、
上記被移動体は、上記記録ヘッドが上記収納位置にあるときに、上記記録ヘッドの移動を規制する当接位置と、上記記録ヘッドの移動を規制しない離間位置との間で移動可能な規制部材であり、
上記移動処理は、上記記録指示に係る上記記録処理が完了した場合に、上記キャップを上記アンキャップ位置から上記キャップ位置に移動させ、当該記録処理が完了してから、上記記憶部に記憶されている上記維持時間が経過した場合に、上記規制部材を上記離間位置から上記当接位置に移動させるように上記移動機構を制御する請求項１から８のいずれかに記載のインクジェット記録装置。
【請求項１２】
上記制御部は、
上記変更処理において、上記判定処理により、上記キャップ又は上記規制部材が上記当接位置にないと判定された後の、次の上記判定処理により、上記キャップ又は上記規制部材が上記当接位置にあると判定された場合、上記記憶部に記憶されている上記維持時間より長い時間を当該維持時間として上記記憶部に記憶させる請求項９から１１のいずれかに記載のインクジェット記録装置。
【請求項１３】
ソフトスイッチを更に備え、
上記制御部は、
上記ソフトスイッチの操作が受け付けられた場合、上記キャップ又は上記規制部材を上記離間位置から上記当接位置に移動させるように上記移動機構を制御した後、上記インクジェット記録装置への電力の供給を停止させるシャットダウン処理と、
上記シャットダウン処理が実行されることによって上記インクジェット記録装置への電力の供給が停止されたことをカウントする正常終了カウント処理と、
上記変更処理において、上記判定処理により、上記キャップ又は上記規制部材が上記当接位置にないと判定された後の、次の上記判定処理により、上記キャップ又は上記規制部材が上記当接位置にあると判定された場合、その後、上記正常終了カウント処理が所定回数実行されたときに、上記第１時間を上記維持時間として上記記憶部に記憶させる請求項９から１２のいずれかに記載のインクジェット記録装置。
【請求項１４】
上記制御部は、
上記判定処理において、上記記録ヘッドの移動が規制されているときに、上記キャップ又は上記規制部材が上記当接位置にあると判定し、上記記録ヘッドの移動が規制されていないときに、上記キャップ又は上記規制部材が上記離間位置にあると判定する請求項１０又は１１に記載のインクジェット記録装置。
【発明の詳細な説明】
【技術分野】
【０００１】
本発明は、インクジェット方式にてシートに画像を記録するインクジェット記録装置に関する。
【背景技術】
【０００２】
従来より、インクをノズルから吐出することによって、記録媒体に画像を記録するインクジェット記録装置が知られている。
【０００３】
上記インクジェット記録装置の中には、印刷を行っていない状態において、記録ヘッドのインク吐出面がキャップで覆われるインクジェット方式の画像形成装置が存在する（例えば特許文献１）。インク吐出面がキャップで覆われること（以下、「キャッピング」という。）により、記録ヘッドのインク吐出面においてインクが乾燥し、インクの吐出不良が発生することが防止される。この画像形成装置では、印刷が終了したことに伴うキャッピング動作の実行開始までに、次の印刷の印刷実行情報が受信されていないと判断された場合には、印刷が終了してから第１時間が経過した場合にキャッピング動作の実行が開始される。一方、キャッピング動作の実行開始までに、印刷実行情報が受信されたと判断された場合には、第１時間より長い第２時間が経過した場合にキャッピング動作の実行が開始される。
【０００４】
また、上記インクジェット記録装置の中には、記録ヘッドの移動の力を受けてインク吐出面を覆うように上昇するキャップと、キャップによって覆われた記録ヘッドが、外力によって移動されてしまうことを規制するためのロック部材とを備える、インクジェットプリンタが存在する。このインクジェットプリンタは、印刷が終了したことに伴って、まず記録ヘッドを移動させてキャップにキャッピング動作を行わせる。その後、このインクジェットプリンタは、キャッピング動作されてから所定時間経過後に、ロック部材を動作（以下、「ロック動作」という。）させて、記録ヘッドの移動を規制する。
【先行技術文献】
【特許文献】
【０００５】
【特許文献１】特開２０１３−７５３９６号公報
【発明の概要】
【発明が解決しようとする課題】
【０００６】
しかしながら、印刷が終了してから、キャッピング又はロック動作の実行までの間に、ユーザが、インクジェット記録装置の電源プラグをコンセントから抜いてしまうことがあった。上記インクジェット方式の画像形成装置においては、キャッピングの実行前に電源プラグが抜かれると、記録ヘッドがキャップされていない状態が維持されてしまう。
【０００７】
また、上記インクジェットプリンタにおいては、ロック動作の実行前に電源プラグが抜かれると、記録ヘッドの移動が規制されていない状態が維持されてしまう。このような状態である間に、例えばユーザによって記録ヘッドがキャップから離れた位置に移動されると、記録ヘッドがキャップされていない状態が維持されてしまう可能性がある。
記録ヘッドがキャップされていない状態が維持されてしまうと、記録ヘッドのノズルにおいてインクが乾燥し、吐出不良が発生するおそれがある。
【０００８】
本発明は、上記の事情に鑑みてなされたものであり、その目的は、吐出不良の発生が抑制され、かつ、記録のスループットが向上されるインクジェット記録装置を提供することにある。
【課題を解決するための手段】
【０００９】
(1)  本発明に係るインクジェット記録装置は、ノズル形成面に形成される複数のノズルから記録媒体にインクを吐出する記録ヘッドと、上記記録ヘッドによるインクの吐出性能を維持すべく上記記録ヘッドに対して当接する当接位置と、上記記録ヘッドに対して離間する離間位置との間で移動される被移動体と、上記被移動体を上記当接位置と上記離間位置との間で移動させる移動機構と、上記記録媒体上に画像を記録するための記録指示を取得する取得部と、上記インクジェット記録装置に供給される電力を外部の電力源から取得する電源部と、記憶部と、制御部と、を備える。上記記憶部には、維持時間として第１時間が記憶されている。上記制御部は、上記取得部によって上記記録指示が取得された場合に、上記記録指示に係る画像を上記記録媒体上に記録するように上記記録ヘッドの吐出を制御する記録処理と、上記記録指示に係る上記記録処理が完了してから、上記記憶部に記憶されている維持時間が経過した場合に、上記被移動体を上記離間位置から上記当接位置に移動させるように上記移動機構を制御する移動処理と、上記電源部による電力の取得が開始された場合に、上記被移動体が上記当接位置にあるか否かを判定する判定処理と、上記判定処理により、上記被移動体が上記当接位置にないと判定された回数が少なくとも１回以上となった場合に、上記第１時間より短い第２時間を上記維持時間として上記記憶部に記憶させる変更処理と、を実行する。
【００１０】
インクジェット記録装置が停止される際、移動処理が終了する前に、ユーザが電源プラグをコンセントから抜くなどして停止させた場合には、次回、電源部による電力の取得が開始されたときに、被移動体は当接位置にない。上記構成によれば、電源部による電力の取得が開始されたときに被移動体が当接位置にあった場合は、記録処理が完了してから第１時間が経過した後、被移動体が当接位置に移動される。電源部による電力の取得が開始されたときに被移動体が離間位置にあった場合が少なくとも１回以上となった場合は、記録処理が完了してから、第１時間より短い第２時間が経過した後、被移動体は当接位置に移動される。
【００１１】
被移動体は、例えば、ノズルのキャップ、又は記録ヘッドの移動を規制する規制部材である。被移動体がキャップである場合、当接位置は、キャップが記録ヘッドと当接してノズル形成面を覆う位置であり、離間位置は、キャップがノズル形成面から離間する位置である。被移動体が規制部材である場合、当接位置は、規制部材が記録ヘッドの移動を規制する位置であり、離間位置は、規制部材が記録ヘッドの移動を規制しない位置である。
【００１２】
これにより、移動処理が終了する前に、ユーザが電源プラグをコンセントから抜くなどしてインクジェット記録装置が停止された場合は、より早い時期にノズルがキャッピングされること又は記録ヘッドの移動の規制（以下、ヘッド移動規制という。）が行われることとなる。そのため、インクジェット記録装置が停止される際、ノズルがキャッピングされる可能性又はヘッド移動規制が行われる可能性が高くなる。よって、ノズルが乾燥することが抑制される。また、記録処理が完了した後、所定時間が経過する前に次の記録指示を受け付けた場合には、キャッピング又はヘッド移動規制が行われることなく次の記録が行われる。したがって、吐出不良の発生を抑制し、かつ、記録のスループットを向上させることができる。
【発明の効果】
【００１３】
本発明によれば、電力の取得が開始されたときにキャッピング又はヘッド移動規制が行われていない場合には、電力の取得が開始されたときにキャッピング又はヘッド移動規制が行われている場合と比較して、記録処理の終了後、より短い時間でキャッピング又はヘッド移動規制が行われるので、吐出不良の発生が抑制され、かつ、記録のスループットが向上される。
【図面の簡単な説明】
【００１４】
【図１】図１は、複合機１０の外観斜視図である。
【図２】図２は、プリンタ部１１の内部構造を模式的に示す縦断面図である。
【図３】図３は、（Ａ）がキャリッジ２３及びガイドレール４３、４４の平面図、（Ｂ）がプリンタ部１１の内部構造を示す斜視図である。
【図４】図４は、メンテナンス機構７０の断面図であって、（Ａ）はキャップ７１がアンキャップ位置に配置された状態、（Ｂ）はキャップ７１がキャップ位置に配置された状態を示す。
【図５】図５は、メンテナンス機構７０の模式図である。
【図６】図６は、ポート切替機構９０を底面から見た模式図であって、（Ａ）はＢｋ吸引状態、（Ｂ）はＣｏ吸引状態、（Ｃ）はアンロック状態を示す。
【図７】図７は、切替機構１７０の斜視図であって、（Ａ）は切替レバー１７６が第１位置に配置された状態、（Ｂ）は切替レバー１７６が第２位置に配置された状態、（Ｃ）は切替レバー１７６が第３位置に配置された状態を示す。
【図８】図８は、プリンタ部１１のブロック図である。
【図９】図９は、電源オン時処理のフローチャートである。
【図１０】図１０は、通常処理のフローチャートである。
【図１１】図１１は、第２実施形態に係る通常処理のフローチャートである。
【発明を実施するための形態】
【００１５】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが方向と表現される。さらに、複合機１０が使用可能に設置された状態（図１の状態）を基準として上方向４及び下方向５が定義され、開口１３が形成されている側を手前側（正面）として前方向６及び後方向７が定義され、複合機１０を手前側（正面）から見て左方向８及び右方向９が定義される。
【００１６】
［複合機１０の全体構成］
複合機１０は、図１に示されるように、概ね直方体に形成されている。複合機１０は、下部にインクジェット記録方式で用紙１２（図２参照）に画像を記録するプリンタ部１１と、表示部１４と、操作部１７と、電源部８１とを有している。プリンタ部１１は、図２に示されるように、給送部１５と、給送トレイ２０と、排出トレイ２１と、搬送ローラ部５４と、記録部２４と、排出ローラ部５５と、プラテン４２とを備えている。また、複合機１０は、ファクシミリ機能及びプリント機能などの各種の機能を有している。複合機１０は、インクジェット記録装置の一例である。
【００１７】
［給送トレイ２０、排出トレイ２１］
給送トレイ２０は、図１に示されるように、プリンタ部１１の前面に形成された開口１３を通じて前方向６及び後方向７にユーザによって挿抜される。給送トレイ２０は、積層された複数の用紙１２を支持可能である。排出トレイ２１は、給送トレイ２０の上側に配置されている。排出トレイ２１は、前面に形成された開口１３を通じて、排出ローラ部５５によって排出された用紙１２を支持する。
【００１８】
［給送部１５］
給送部１５は、図２に示されるように、給送ローラ２５と、給送アーム２６と、軸２７とを備えている。給送ローラ２５は、給送アーム２６の先端側に回転可能に支持されている。給送ローラ２５は、搬送モータ１０２（図８参照）の逆転によって、用紙１２を第１搬送方向１６Ａに搬送する方向に回転（以下、「正回転」と表記する。）する。給送アーム２６は、プリンタ部１１のフレームに支持された軸２７に回動可能に支持されている。給送アーム２６は、自重或いはバネ等による弾性力によって給送トレイ２０側へ回動付勢されている。
【００１９】
［搬送路６５］
搬送路６５は、図２に示されるように、その一部がプリンタ部１１の内部において、所定間隔で対向する外側ガイド部材１８及び内側ガイド部材１９によって形成される空間を指す。搬送路６５は、給送トレイ２０の後端部からプリンタ部１１の後方側に延びる経路である。また、搬送路６５は、プリンタ部１１の後方側において下方から上方に延びつつＵターンし、記録部２４を経て排出トレイ２１に至る経路である。なお、搬送路６５内において、給送トレイ２０側から排出トレイ２１側への用紙１２の搬送方向を第１搬送方向１６Ａと定義する。すなわち、第１搬送方向１６Ａと第２搬送方向１６Ｂとは、図２において一点鎖線の矢印で示されるように、互いに逆方向である。
【００２０】
［搬送ローラ部５４］
搬送ローラ部５４は、図２に示されるように、記録部２４より第１搬送方向１６Ａの上流側に配置されている。搬送ローラ部５４は、互いに対向する搬送ローラ６０及びピンチローラ６１を有する。搬送ローラ６０は、搬送モータ１０２によって駆動される。ピンチローラ６１は、搬送ローラ６０の回転に伴って連れ回る。用紙１２は、搬送モータ１０２の正転によって正回転する搬送ローラ６０及びピンチローラ６１に挟持されて第１搬送方向１６Ａに搬送される。
【００２１】
［排出ローラ部５５］
排出ローラ部５５は、図２に示されるように、記録部２４より第１搬送方向１６Ａの下流側に配置されている。排出ローラ部５５は、互いに対向する排出ローラ６２及び拍車６３を有する。排出ローラ６２は、搬送モータ１０２によって駆動される。拍車６３は、排出ローラ６２の回転に伴って連れ回る。用紙１２は、搬送モータ１０２の正転によって正回転する排出ローラ６２及び拍車６３に挟持されて第１搬送方向１６Ａに搬送される。
【００２２】
［プラテン４２］
プラテン４２は、図２に示されるように、第１搬送方向１６Ａにおける搬送ローラ部５４及び排出ローラ部５５の間に配置されている。プラテン４２は、上方向４及び下方向５において記録部２４に対向するようにして配置されており、搬送ローラ部５４によって搬送される用紙１２を下側から支持する。
【００２３】
［記録部２４］
記録部２４は、図２に示されるように、第１搬送方向１６Ａにおける搬送ローラ部５４及び排出ローラ部５５の間に配置されている。また、記録部２４は、上方向４及び下方向５においてプラテン４２に対向するようにして配置されている。記録部２４は、キャリッジ２３と、記録ヘッド３９と、エンコーダセンサ３８Ａとを備えている。また、キャリッジ２３からは、図３（Ａ）に示されるように、インクチューブ３２及びフレキシブルフラットケーブル３３が延出されている。インクチューブ３２は、カートリッジ装着部に装着されたインクカートリッジのインクを記録ヘッド３９に供給する。フレキシブルフラットケーブル３３は、制御部１３０が実装された制御基板と記録ヘッド３９とを接続する。
【００２４】
キャリッジ２３は、図３（Ａ）に示されるように、前方向６及び後方向７に離間する位置において各々が左方向８及び右方向９に延設されたガイドレール４３、４４に支持されている。ガイドレール４３、４４は、プリンタ部１１のフレームに支持されている。キャリッジ２３は、ガイドレール４４に設けられた公知のベルト機構に連結されている。なお、このベルト機構は、キャリッジモータ１０３（図８参照）によって駆動される。つまり、キャリッジモータ１０３の駆動により周運動するベルト機構を介して、キャリッジ２３は左方向８及び右方向９に沿う主走査方向への往復移動する。
【００２５】
記録ヘッド３９は、図２に示されるように、キャリッジ２３に搭載されている。記録ヘッド３９の下面には、複数のノズル４０が形成されている。記録ヘッド３９は、ノズル４０からインクを微小なインク滴として吐出する。キャリッジ２３が移動する過程において、プラテン４２に支持されている用紙１２に向けて記録ヘッド３９がインク滴を吐出する。これにより、用紙１２に画像が記録される。
【００２６】
また、ガイドレール４４には、図３に示されるように、左方向８及び右方向９に延びる帯状のエンコーダストリップ３８Ｂが設けられている。エンコーダセンサ３８Ａは、キャリッジ２３に搭載されている。エンコーダセンサ３８Ａとエンコーダストリップ３８Ｂとは、上方向４及び下方向５において対向する位置にそれぞれが配置されている。キャリッジ２３が移動する過程において、エンコーダセンサ３８Ａは、エンコーダストリップ３８Ｂを読み取ってパルス信号を生成し、生成したパルス信号を制御部１３０に出力する。エンコーダセンサ３８Ａ及びエンコーダストリップ３８Ｂは、図８に示されるキャリッジセンサ３８を構成する。
【００２７】
［表示部１４］
表示部１４は、ユーザに報知すべき情報をメッセージ或いはアニメーションとして表示する表示画面を備える。表示部１４の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００２８】
［操作部１７］
操作部１７は、複合機１０に対する指示の入力をユーザから受け付ける入力インタフェースである。操作部１７の具体的な構成は特に限定されないが、例えば、複数の押しボタンを有していてもよいし、図１に示されるように表示部１４の表示画面に重畳されたタッチセンサを有していてもよい。操作部は、取得部の一例である。
【００２９】
操作部１７は、電源ボタン８３を有している。電源ボタン８３は、電源オン指示及び電源オフ指示を受け付けるボタンである。電源ボタン８３は、電源部８１から制御部１３０及び電源ボタン８３に電力が供給されている状態で押下されたことに応じて、電源部８１が複合機１０全体に電力を供給する。電源ボタン８３は、複合機１０全体に電源部８１から電力が供給されている状態で押下されたことが受け付けられた場合には、所定の終了動作を行った後、電源部８１から制御部１３０及び電源ボタン８３以外への電力供給が停止されるように電源部８１を制御する。電源ボタン８３は、ソフトスイッチの一例である。
【００３０】
［電源部８１］
電源部８１は、ＡＣ１００Ｖ電源に接続され、ＡＣ１００Ｖ電源から供給される電力の電圧を、所定の直流電圧に変換し、複合機１０の各部に供給する。ＡＣ１００Ｖ電源は、電力源の一例である。
【００３１】
［通信部８７］
通信部８７は、通信ネットワークを通じて外部装置と通信を行うためのインタフェースである。複合機１０は、通信部８７を通じてＰＣ（パーソナルコンピュータ）などの外部装置である情報処理装置からプリントジョブ又はファックスデータを取得する。通信部は、取得部の一例である。
【００３２】
［メンテナンス機構７０］
複合機１０は、図４及び図５に示されるメンテナンス機構７０をさらに備える。メンテナンス機構７０は、図３（Ａ）に示されるように、搬送ローラ部５４及び排出ローラ部５５によって搬送される用紙１２の通過する範囲（以下、「通過領域」と表記する。）から右側に外れた位置に配置される。なお、通過領域とは、記録ヘッド３９とプラテン４２上の用紙１２とが対面し得る領域である。
【００３３】
メンテナンス機構７０は、キャップ７１と、リフトアップ機構７３と、当接レバー７６と、ポンプ７７（図５及び図８参照）と、ポート切替機構９０とを備えている。メンテナンス機構７０は、ノズル４０内のインクや空気、及びノズル形成面に付着した異物（以下、これらを総称して「インク等」と表記する。）を吸引するパージ動作を実行する。メンテナンス機構７０によって吸引除去されたインク等は、排液タンク１１０（図３（Ｂ）及び図５参照）に貯留される。
【００３４】
キャップ７１は、ゴムにより構成されている。キャップ７１は、通過領域の右方の収納位置に位置するキャリッジ２３と対面する位置に配置されている。またキャップ７１は、図７（Ｂ）に示される第２位置及び第３位置の切替レバー１７６（後述）に当接したキャリッジ２３の記録ヘッド３９に対面する。キャップ７１は、ノズル形成面（「記録ヘッド３９のノズル４０が形成された面」を指す。）を覆うキャップ位置と、ノズル形成面から離間するアンキャップ位置との間を移動可能に構成されている。キャップ７１は、被移動体の一例である。キャップ位置は、当接位置の一例である。アンキャップ位置は、離間位置の一例である。
【００３５】
キャップ７１の内部は、Ｂｋキャップと、Ｃｏキャップとに区画されている。Ｂｋキャップは、ブラックインクを吐出するノズルが形成された領域を覆い且つ当該領域との間に密閉空間を形成する。Ｃｏキャップは、カラーインクを吐出するノズルが形成された領域を覆い且つ当該領域との間に密閉空間を形成する。Ｂｋキャップは後述するＢｋポート９５に接続され、Ｃｏキャップは後述するＣｏポート９６に接続される。
【００３６】
ポンプ７７は、例えば、ロータリ式のチューブポンプである。ポンプ７７は、搬送モータ１０２の逆転によって、図５に示される吸入口７７Ａから排出口７７Ｂへ向かう流体（インク或いは空気等）の流れを形成するものである。一方、ポンプ７７には、搬送モータ１０２の正転駆動力が伝達されない。吸入口７７Ａから延出されたチューブ９１Ａの先端には、ポート切替機構９０が接続されている。また、ポート切替機構９０から延出されたチューブ９１Ｂの先端には、キャップ７１が接続されている。すなわち、キャップ７１と吸入口７７Ａとは、チューブ９１Ａ、９１Ｂ及びポート切替機構９０を通じて連通している。一方、排出口７７Ｂから延出されたチューブ９１Ｃの先端には、排液タンク１１０が接続されている。
【００３７】
リフトアップ機構７３は、図４に示されるように、リンク７４を備える。キャリッジ２３の移動に連動してリンク７４が回動することで、図４（Ａ）の位置と図４（Ｂ）の位置との間でホルダ７５を移動させる。ホルダ７５は、キャップ７１と、鉛直上方へ突出された当接レバー７６とを保持している。当接レバー７６は、キャリッジ２３の移動範囲まで上方向４に向けて延出されている。リフトアップ機構７３は、移動機構の一例である。
【００３８】
右方向９に移動するキャリッジ２３は、当接レバー７６を押圧して右方向９に移動させる。当接レバー７６を保持するホルダ７５は、当接レバー７６の右方向９への移動に連動して上昇し、キャップ７１をキャップ位置に移動させる。一方、左方向８に移動したキャリッジ２３は、当接レバー７６から離間する。キャリッジ２３に離間された当接レバー７６は、左方向８に移動する。そして、ホルダ７５は、当接レバー７６の左方向８への移動に連動して下降し、キャップ７１をアンキャップ位置に移動させる。以下では、キャップ７１がキャップ位置にある状態（図４（Ｂ）参照）を「キャップ状態」と表記し、キャップ７１がアンキャップ位置にある状態（図４（Ａ）参照）を「アンキャップ状態」と表記することがある。
【００３９】
［ポート切替機構９０］
ポート切替機構９０は、キャップ７１とポンプ７７との連通状態を切り替える。ポート切替機構９０は、図６に示されるように、有底円筒体のシリンダ９９と、シリンダ９９の内部に配置された円柱形状の回転体９２とを備えている。シリンダ９９には、吸気ポート９３、Ｂｋポート９５、Ｃｏポート９６、及び大気ポート９７、９８が形成されている。具体的には、ポート切替機構９０は、図６（Ａ）に示されるＢｋ吸引状態と、図６（Ｂ）に示されるＣｏ吸引状態と、図６（Ｃ）に示されるアンロック状態とに切り替え可能である。
【００４０】
吸気ポート９３は、シリンダ９９の底壁に形成されている。その他の４つのポート９５〜９８は、シリンダ９９の側壁において周方向に所定の間隔を空けて形成されている。Ｂｋポート９５は、チューブ９１Ｂを介してＢｋキャップの内部空間に連通される。Ｃｏポート９６は、チューブ９１Ｂを介してＣｏキャップの内部空間に連通される。大気ポート９７、９８は大気に開放されている。チューブ９１Ａは、一端が吸気ポート９３に接続され、他端がポンプ７７の吸入口７７Ａに接続される。
【００４１】
回転体９２は、シリンダ９９の内部において、搬送モータ１０２の正転によって回転（本実施形態では、図６の反時計回りに回転）する。シリンダ９９の内部において回転体９２が回転することにより、シリンダ９９に形成された各ポート９３、９５〜９８の連通状態が交互に変化する。一方、回転体９２には、搬送モータ１０２の逆転駆動力が伝達されない。図６（Ａ）に示されるＢｋ吸引状態は、吸気ポート９３がＢｋポート９５と連通されている状態である。図６（Ｂ）に示されるＣｏ吸引状態は、吸気ポート９３がＣｏポート９６と連通されている状態である。図６（Ｃ）に示されるアンロック状態は、吸気ポート９３がＢｋポート９５、Ｃｏポート９６、及び大気ポート９８に連通されている状態である。
【００４２】
さらに、メンテナンス機構７０は、キャップ７１と対面する位置にキャリッジ２３を固定するロック部を備える。ロック部は、回転体９２の回転に伴って上方向４及び下方向５に移動可能なロックピン８５（図８参照）を有する。ロックピン８５は、ロック位置とアンロック位置とに移動可能に構成されている。ロック位置は、キャリッジ２３に形成された凹部に進入してキャリッジ２３の左方向８及び右方向９への移動を規制すべく、ロックピン８５が上昇した位置である。アンロック位置は、キャリッジ２３から離間してキャリッジ２３の左方向８及び右方向９への移動を許容すべく、ロックピン８５が、降下した位置である。ロックピン８５は、被移動体の一例である。以下では、ロックピン８５がロック位置に位置する状態を「ロック状態」と表記することがある。ロックピン８５は、規制部材の一例である。ロック位置は、当接位置及び規制位置の一例である。アンロック位置は、離間位置及び非規制位置の一例である。
【００４３】
図６（Ａ）に示されるＢｋ吸引状態でポンプ７７を駆動すると、Ｂｋキャップ内のインク等がチューブ９１Ａ〜９１Ｃ、ポート切替機構９０、及びポンプ７７を通じて排液タンク１１０に排出される。ポート切替機構９０が、Ｂｋ吸引状態である場合には、ロックピン８５はロック位置に配置されている。また、図６（Ｂ）に示されるＣｏ吸引状態でポンプ７７を駆動すると、Ｃｏキャップ内のインク等がチューブ９１Ａ〜９１Ｃ、ポート切替機構９０、及びポンプ７７を通じて排液タンク１１０に排出される。ポート切替機構９０が、Ｃｏ吸引状態である場合には、ロックピン８５はロック位置に配置されている。さらに、図６（Ｃ）に示されるアンロック状態は、前述のロックピン８５がアンロック位置に配置された状態である。
【００４４】
［駆動力伝達機構１０４］
図８に示される駆動力伝達機構１０４は、搬送モータ１０２の駆動力を、給送ローラ２５、搬送ローラ６０、排出ローラ６２、及びメンテナンス機構７０へ伝達する。駆動力伝達機構１０４は、歯車、プーリ、無端環状のベルト、遊星歯車機構（振子ギヤ機構）、及びワンウェイクラッチ等の全部又は一部を組み合わせて構成される。また、駆動力伝達機構１０４は、搬送モータ１０２の駆動力の伝達先を切り替える切替機構１７０を備えている。
【００４５】
［切替機構１７０］
切替機構１７０は、第１駆動状態と、第２駆動状態とに切替可能に構成されている。第１駆動状態は、搬送ローラ６０を通じて伝達された搬送モータ１０２の駆動力を、給送ローラ２５に伝達し且つメンテナンス機構７０に伝達しない状態である。第２駆動状態は、搬送ローラ６０を通じて伝達された搬送モータ１０２の駆動力を、給送ローラ２５に伝達せず且つメンテナンス機構７０に伝達する状態である。切替機構１７０は、図３（Ａ）に示されるように、プラテン４２よりも右方（すなわち、通過領域から右方に外れた位置）に設けられている。切替機構１７０は、図７に示されるように、切替ギヤ１７１と、２つの受けギヤ１７２Ａ、１７２Ｄと、保持部１７３と、押圧部材１７５と、切替レバー１７６と、案内部１７７とを備える。
【００４６】
切替ギヤ１７１は、支軸１７４を中心として回転可能で且つ支軸１７４の軸方向（すなわち、左方向８及び右方向９）に沿って移動可能である。なお、支軸１７４は、メンテナンス機構７０に保持されている。切替ギヤ１７１には、搬送モータ１０２の駆動力が搬送ローラ６０を通じて伝達される。受けギヤ１７２Ａ、１７２Ｄは、支軸１７４の下側において左方向８及び右方向９に沿った同軸上で回転可能であり、切替ギヤ１７１に噛合可能に構成されている。すなわち、切替ギヤ１７１は、左方向８及び右方向９に移動することによって、受けギヤ１７２Ａ、１７２Ｄのいずれかと噛合する。受けギヤ１７２Ａは、搬送モータ１０２の駆動力を給送ローラ２５に伝達するギヤである。一方、受けギヤ１７２Ｄは、搬送モータ１０２の駆動力をメンテナンス機構７０に伝達するギヤである。
【００４７】
押圧部材１７５は、切替ギヤ１７１の右側に配置されており、左方向８及び右方向９にスライド自在に支軸１７４に挿通されている。切替レバー１７６は、押圧部材１７５から上方向４に突出し、保持部１７３を通ってキャリッジ２３の移動経路にまで延びている。切替ギヤ１７１は第１バネによって右方向９に付勢され、押圧部材１７５は第２バネによって左方向８に付勢されている。また、第２バネの付勢力は、第１バネの付勢力より大きい。その結果、図７に示される切替ギヤ１７１及び押圧部材１７５は、左方向８に付勢されている。
【００４８】
切替レバー１７６が図７（Ａ）に示される第１位置に保持部１７３によって保持されている時、切替ギヤ１７１は、受けギヤ１７２Ａと噛合する。右方向９に移動するキャリッジ２３に当接された切替レバー１７６は、押圧部材１７５を右方に移動させる。このとき、第１バネの付勢力により、切替ギヤ１７１は押圧部材１７５の移動に伴って右方向９に移動する。そして、切替レバー１７６が図７（Ｂ）に示される第２位置に位置する時、切替ギヤ１７１は、受けギヤ１７２Ｄと噛合する。
【００４９】
さらに、キャリッジ２３によって図７（Ｃ）に示される第３位置まで移動され且つキャリッジ２３に離間された切替レバー１７６は、第２バネの付勢力によって図７（Ａ）に示される第１位置に復帰する。なお、第３位置から第１位置へ移動する切替レバー１７６は、案内部１７７に案内されるので、保持部１７３によって第１位置への復帰が妨げられることはない。なお、第２位置は第１位置より通過領域から遠い位置であり、第３位置は第１位置及び第２位置より通過領域から遠い位置である。
【００５０】
また、切替ギヤ１７１は、図７（Ｂ）に示される受けギヤ１７２Ｄとの噛合位置より右方向９に移動することはない。すなわち、切替レバー１７６が第２位置及び第３位置に配置されている時、切替ギヤ１７１と押圧部材１７５とは離間している。また、切替ギヤ１７１は、切替レバー１７６と共に第３位置から第１位置へ復帰する押圧部材１７５に押圧されて、図７（Ａ）に示される受けギヤ１７２Ａとの噛合位置に移動する。
【００５１】
切替ギヤ１７１と受けギヤ１７２Ａとが噛合されている状態（すなわち、図７（Ａ）に示される第１駆動状態）において、駆動力伝達機構１０４は、搬送モータ１０２の駆動力を給送ローラ２５に伝達し且つメンテナンス機構７０に伝達しない。一方、切替ギヤ１７１と受けギヤ１７２Ｄとが噛合されている状態（すなわち、図７（Ｂ）に示される第２駆動状態）において、駆動力伝達機構１０４は、搬送モータ１０２の駆動力をメンテナンス機構７０に伝達し且つ給送ローラ２５に伝達しない。
【００５２】
また、切替機構１７０が第１駆動状態である駆動力伝達機構１０４は、搬送モータ１０２の正転駆動力を給送ローラ２５へ伝達せず、搬送モータ１０２の逆転によって給送ローラ２５を正回転させる。また、切替機構１７０が第２駆動状態である駆動力伝達機構１０４は、搬送モータ１０２の正転によって回転体９２を回転させ、搬送モータ１０２の逆転によってポンプ７７を駆動する。これらは、搬送モータ１０２と、給送ローラ２５、回転体９２、及びポンプ７７との間の駆動力の伝達経路に設けられたワンウェイクラッチ、振子ギヤ機構、或いは電磁クラッチ機構等によって実現できる。さらに、排出ローラ６２は、ベルト等を介して搬送ローラ６０と連結されている。すなわち、本実施形態における搬送ローラ６０及び排出ローラ６２は、切替機構１７０の状態にかかわらず、搬送モータ１０２の正転によって正回転し、搬送モータ１０２の逆転によって逆回転する。
【００５３】
メンテナンス機構７０の当接レバー７６と、切替機構１７０の切替レバー１７６とは、いずれも通過領域より右方に位置するキャリッジ２３に押圧されて移動する。図７（Ａ）示される第１位置に切替レバー１７６が位置している時（換言すれば、キャリッジ２３が切替レバー１７６及び当接レバー７６から離間している時）、当接レバー７６は図４（Ａ）に示される位置に配置される。このときのキャップ７１は、アンキャップ位置に位置する。また、図７（Ｃ）に示される第３位置の切替レバー１７６に当接するキャリッジ２３は、当接レバー７６を図４（Ｂ）に示される位置に移動させる。このときのキャップ７１は、キャップ位置に位置する。さらに、図７（Ｂ）に示される第２位置の切替レバー１７６に当接するキャリッジ２３は、当接レバー７６を図４（Ａ）及び図４（Ｂ）の間の位置に移動させる。このときのキャップ７１は、アンキャップ位置に位置する。
【００５４】
［制御部１３０］
制御部１３０は、図８に示されるように、ＣＰＵ１３１、ＲＯＭ１３２、ＲＡＭ１３３、ＥＥＰＲＯＭ１３４、及びＡＳＩＣ１３５を備えており、これらは内部バス１３７によって接続されている。ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域、或いはデータ処理の作業領域として使用される。ＥＥＰＲＯＭ１３４には、電源オフ後も保持すべき設定やフラグ等が格納される。ＲＯＭ１３２、ＲＡＭ１３３及びＥＥＰＲＯＭ１３４は、記憶部の一例である。
【００５５】
ＡＳＩＣ１３５には、搬送モータ１０２及びキャリッジモータ１０３が接続されている。ＡＳＩＣ１３５は、各モータを回転させるための駆動信号を生成し、この駆動信号を元に各モータを制御する。各モータは、ＡＳＩＣ１３５からの駆動信号によって正転又は逆転する。例えば、制御部１３０は、搬送モータ１０２の駆動を制御して各ローラ２５、６０及び６２又はメンテナンス機構７０を駆動させる。また、制御部１３０は、記録ヘッド３９を制御してノズル４０からインクを吐出させる。また、制御部１３０は、表示部１４にメッセージ或いはアニメーションを表示させる。
【００５６】
また、ＡＳＩＣ１３５には、キャリッジセンサ３８が接続されている。制御部１３０は、キャリッジセンサ３８から出力されるパルス信号に基づいて、キャリッジ２３の位置を検出する。また、制御部１３０は、操作部１７を通じてユーザから各種指示を取得する。さらに、制御部１３０は、検出したキャリッジ２３の位置に基づいて、ＡＳＩＣ１３５を介してキャリッジモータ１０３の駆動を制御してキャリッジ２３を往復移動させる。
【００５７】
ＥＥＰＲＯＭ１３４には、維持時間、異常終了カウンタ、異常終了フラグ、正常終了フラグ、正常終了カウンタ及び取得数カウンタが記憶されている。
【００５８】
維持時間は、記録指示に係る記録処理が終了してから、キャッピング処理を開始するまでの時間である。複合機１０の出荷時の初期値として、維持時間には、例えば、第１時間、例えば５秒が記憶されている。
【００５９】
異常終了カウンタは、複合機１０の正常終了後に続けて異常終了した回数を示すカウンタである。正常終了とは、ロック状態後に、複合機１０への電力供給が停止されたことをいう。異常終了とは、ロック状態前（つまりアンロック状態のままである場合）に、複合機１０への電力供給が停止されたことをいう。複合機１０の出荷時の初期値として、異常終了カウンタには、例えば、０が記憶されている。
【００６０】
異常終了フラグは、複合機１０の前回終了時において、キャッピング処理が完了する前に、複合機１０への電力供給が遮断されたと判断された場合にオンになるフラグである。複合機１０の出荷時の初期値として、異常終了フラグには、例えば、オフが記憶されている。正常終了フラグは、複合機１０の前回終了時において、キャッピング処理が完了した後に、複合機１０への電力供給が遮断されたと判断された場合にオンになるフラグである。複合機１０の出荷時の初期値として、正常終了フラグには、例えば、オンが記憶されている。
【００６１】
正常終了カウンタは、複合機１０が異常終了した次の停止において正常終了した後に続けて正常終了した回数を示すカウンタである。複合機１０の出荷時の初期値として、正常終了カウンタには、例えば、０が記憶されている。取得数カウンタは、後述する所定時間に、次の記録指示をした回数を示すカウンタでる。複合機１０の出荷時の初期値として、取得数カウンタには、例えば、０が記憶されている。
【００６２】
［電源オン時処理］
図９を参照して、本実施形態における電源オン時処理を説明する。この電源オン時処理は、制御部１３０のＣＰＵ１３１によって実行される。なお、以下の各処理は、ＲＯＭ１３２に記憶されているプログラムをＣＰＵ１３１が読み出して実行してもよいし、制御部１３０に搭載されたハードウェア回路によって実現されてもよい。
【００６３】
制御部１３０は、複合機１０に電源が投入されたことに応じて、図９に示される電源オン時処理を実行する。複合機１０に電源が投入されるとは、以下の２つの場合を示す。１つ目は、電源プラグがコンセントに挿入されている状態で電源ボタン８３による電源オン指示を受け付けた場合である。２つ目は、複合機１０に電力が供給されている状態において、後述するシャットダウン処理が実行されずにコンセントから電源プラグが抜去されたことにより複合機１０への電力供給が停止され、その後、電源プラグがコンセントに挿入された場合を示す。
【００６４】
まず、制御部１３０は、キャリッジ２３がロック状態にあるか否かを判断する（Ｓ１１）。具体的には、制御部１３０は、キャリッジ２３がロック状態にあるか否かを判断するため、キャリッジ２３を移動をさせるべくキャリッジモータ１０３を動作させる。その際、制御部１３０は、キャリッジセンサ３８から入力された信号に基づいて、キャリッジ２３が移動したか否かを判断する。キャリッジ２３が移動した場合には、制御部１３０は、キャリッジ２３がロック状態にないと判断する（Ｓ１１：Ｎｏ）。また、キャリッジ２３が移動されなかった場合には、制御部１３０はキャリッジ２３がロック状態にあると判断する（Ｓ１１：Ｙｅｓ）。例えば、ロックピン８５が進入するための、キャリッジ２３に形成された凹部の左方向８及び右方向９における幅からロックピン８５の幅を差し引いた寸法、すなわち、凹部内でロックピン８５が左方向８及び右方向９に移動可能な距離を、１０ｅｎｃ（エンコーダ）分であるとする。１ｅｎｃは、キャリッジモータ１０３の回転における所定の回転角に相当する。したがって、１ｅｎｃは、キャリッジ２３の所定の移動距離を表す。この場合、制御部１３０は、１０ｅｎｃ内でキャリッジ２３の移動が停止した場合に、ロック状態であると判断し、キャリッジ２３が１０ｅｎｃ以上動いた場合に、アンロック状態であると判断する。キャリッジ２３がロック状態にあることは、キャップ状態にあることを示し、キャリッジ２３がロック状態にないことは、キャップ状態にないことを示す。ステップＳ１１の処理は、判定処理の一例である。
【００６５】
キャリッジ２３がロック状態にないと判断された場合（Ｓ１１：Ｎｏ）、制御部１３０は、ＥＥＰＲＯＭ１３４に記憶されている異常終了フラグをオンにする（Ｓ１２）。そして、制御部１３０は、ＥＥＰＲＯＭ１３４に記憶されている異常終了カウンタの値をインクリメントした値を、新たな異常終了カウンタの値としてＥＥＰＲＯＭ１３４に記憶させる（Ｓ１３）。ステップＳ１３の処理は、カウント処理の一例である。次に、制御部１３０は、異常終了カウンタの値が閾値以上、例えば１０以上であるか否かを判断する（Ｓ１４）。異常終了カウンタの値が閾値未満、例えば９以下である場合（Ｓ１４：Ｎｏ）、制御部１３０は、異常終了カウンタの値が所定値、例えば２の倍数であるか否かを判断する（Ｓ１５）。
【００６６】
異常終了カウンタの値が所定値、例えば２の倍数である場合（Ｓ１５：Ｙｅｓ）、制御部１３０は、ＥＥＥＰＲＯＭ１３４に記憶されている維持時間の値から、負の値にならない範囲で、第１減少幅、例えば１秒を減らした値を、新たな維持時間としてＥＥＰＲＯＭ１３４に記憶させる（Ｓ１６）。上記の新たな維持時間は、第２時間の一例である。ステップＳ１６の処理は、変更処理の一例である。
【００６７】
そして、制御部１３０は、ＥＥＰＲＯＭ１３４に記憶されている取得数カウンタの値が所定回数、例えば５以上であるか否かを判断する（Ｓ１７）。取得数カウンタの値が所定回数、例えば５以上である場合（Ｓ１７：Ｙｅｓ）、制御部１３０は、ＥＥＰＲＯＭ１３４に記憶されている維持時間の値を、５秒を超えない範囲で、所定秒、例えば１秒増して値を、新たな維持時間としてＥＥＰＲＯＭ１３４に記憶させて（Ｓ１８）、電源オン時処理を終了する。ステップＳ１８の処理は、変更処理の一例である。取得数カウンタの値が所定回数未満、例えば４以下である場合（Ｓ１７：Ｎｏ）、制御部１３０は、維持時間を変更せずに（ステップＳ１８をスキップ）、電源オン時処理を終了する。
【００６８】
ステップＳ１５の処理において、異常終了カウンタの値が所定値、例えば２の倍数でない場合（Ｓ１５：Ｎｏ）、制御部１３０は、維持時間を変更せずに（ステップＳ１６のスキップ）、ステップＳ１７の処理を実行する。
【００６９】
ステップＳ１４の処理において、異常終了カウンタの値が閾値以上、例えば１０以上である場合（Ｓ１４：Ｙｅｓ）、制御部１３０は、ＥＥＰＲＯＭ１３４に記憶されている維持時間の値から、負の値にならない範囲で、第１減少幅より大きい第２減少幅、例えば５秒を減らした値を、新たな維持時間としてＥＥＰＲＯＭ１３４に記憶させて（Ｓ１９）、ステップＳ１７の処理に進む。上記新たな維持時間は、第２時間の一例である。ステップＳ１９の処理は、変更処理の一例である。
【００７０】
ステップＳ１１の処理において、キャリッジ２３がロック状態にあると判断された場合（Ｓ１１：Ｙｅｓ）、制御部１３０は、ＥＥＰＲＯＭ１３４に記憶されている異常終了フラグがオンにされているか否かを判断する（Ｓ２０）。異常終了フラグがオンにされていると判断された場合（Ｓ２０：Ｙｅｓ）、制御部１３０は、ＥＥＰＲＯＭ１３４に記憶されている異常終了カウンタの新たな値として初期値、例えば０をＥＥＰＲＯＭ１３４に記憶させる（Ｓ２１）。そして、制御部１３０は、ＥＥＰＲＯＭ１３４に記憶されている正常終了フラグをオンにする（Ｓ２２）。また、制御部１３０は、ＥＥＰＲＯＭ１３４に記憶されている正常終了カウンタの新たな値として初期値、例えば０をＥＥＰＲＯＭ１３４に記憶させる（Ｓ２３）。そして、制御部１３０は、ＥＥＰＲＯＭ１３４に記憶されている異常終了フラグをオフにして（Ｓ２４）、ステップＳ１７の処理を実行する。
【００７１】
ステップＳ２０の処理において、ＥＥＰＲＯＭ１３４に記憶されている異常終了フラグがオンにされていない場合（Ｓ２０：Ｎｏ）、制御部１３０は、ステップＳ２１〜Ｓ２４の処理をスキップして、ステップＳ１７の処理を実行する。
【００７２】
［通常処理］
図１０を参照して、本実施形態における通常処理を説明する。通常処理は、複合機１０に電源が投入されている間、繰り返し実行される。
【００７３】
制御部１３０は、記録指示を取得したか否かを判断する（Ｓ４１）。記録指示の取得先は特に限定されないが、例えば、複合機１０が備える操作部１７を通じて取得してもよいし、外部機器から通信ネットワークを通じて取得してもよい。記録指示が取得された場合（Ｓ４１：Ｙｅｓ）、制御部１３０は、記録処理を実行する（Ｓ４２）。制御部１３０は、ステップＳ４１で取得した記録指示に従って、各ローラ２５、６０、及び６２、キャリッジ２３、及び記録ヘッド３９の動作を制御し、用紙１２への画像記録を実行する。
【００７４】
記録処理（Ｓ４２）が終了した後、制御部１３０は、計時を開始する（Ｓ４３）。そして、制御部１３０は、ステップＳ４３にて計時が開始された時間が、ＥＥＰＲＯＭ１３４に記憶されている維持時間を経過したか否かを判断する（Ｓ４４）。一方、ステップＳ４１の処理において記録指示が取得されていない場合（Ｓ４１：Ｎｏ）、制御部１３０は、ステップＳ４４の処理を実行する。
【００７５】
ステップＳ４４の処理において、ＥＥＰＲＯＭ１３４に記憶されている維持時間が経過した場合（Ｓ４４：Ｙｅｓ）、制御部１３０は、ロック処理が完了しているか否かを判断する（Ｓ４５）。ロック処理では、制御部１３０は、搬送モータ１０２を制御して、回転体９２を回転させる。これにより、ロックピン８５がロック位置に移動され、ロック状態になる。ロック状態になったときにロック処理が完了する。ロック処理が完了していない場合（Ｓ４５：Ｎｏ）、制御部１３０は、キャッピング処理を実行する（Ｓ４６）。具体的には、制御部１３０は、キャリッジモータ１０３を制御して、キャリッジ２３を収納位置まで移動させる。これにより、キャップ７１がキャップ位置に移動される。キャッピング処理は、移動処理の一例である。そして、制御部１３０は、ロック処理を実行する（Ｓ４７）。ステップＳ４４の処理において判断処理により、維持時間が経過するまで（Ｓ４４：Ｙｅｓ）キャッピング処理（Ｓ４６）は、実行されない。これにより、維持時間の経過前に記録指示が取得された場合には（Ｓ４１：Ｙｅｓ）、ノズル４０のアンキャップを行うことなく画像記録を開始できる。そのため、画像記録の開始時期を早くすることができる。
【００７６】
次に、制御部１３０は、所定時間内に次の記録指示を取得したか否かを判断する（Ｓ４８）。所定時間は、例えば、記録指示を取得した時に開始され、記録処理が終了してから第１時間、例えば５秒が経過した時に終了する時間である。また、例えば、記録処理が終了後、キャッピングが実行された時に開始され、記録処理が終了してから第１時間、例えば５秒が経過した時に終了する時間である。また、ステップＳ４４の処理にて用いる維持時間を第１時間としてもよい。この場合、維持時間は、例えば５秒である。
【００７７】
所定時間内に次の記録指示を取得したと判断された場合（Ｓ４８：Ｙｅｓ）、制御部１３０は、ＥＥＰＲＯＭ１３４に記憶されている取得数カウンタの値をインクリメントした値を、新たな取得数カウンタとしてＥＥＰＲＯＭ１３４に記憶させる（Ｓ４９）。ステップＳ４９の処理は、取得数カウント処理の一例である。そして、制御部１３０は、電源ボタン８３がオフされたか否かを判断する（Ｓ５０）。
【００７８】
また、ステップＳ４４の処理で維持時間が経過していない場合（Ｓ４４：Ｎｏ）、制御部１３０は、ステップＳ４５〜Ｓ４９の処理をスキップして、ステップＳ５０の処理を実行する。ステップＳ４５の処理でロック処理が完了している場合（Ｓ４５：Ｙｅｓ）、制御部１３０は、ステップＳ４６〜Ｓ４９の処理をスキップして、ステップＳ５０の処理を実行する。ステップＳ４８の処理で所定時間内に次の記録指示を取得していない場合（Ｓ４８：Ｎｏ）、制御部１３０は、取得数カウンタをインクリメントせずに（ステップＳ４９をスキップ）、ステップＳ５０の処理を実行する。
【００７９】
ステップＳ５０の処理において、電源ボタンがオフされたと判断された場合（Ｓ５０：Ｙｅｓ）、制御部１３０は、キャリッジ２３がロックされているか否かを判断する（Ｓ５１）。ステップＳ５１の処理は、図９に示される電源オン時処理におけるステップＳ１１の処理と同一の処理である。ステップＳ５１の処理は、判定処理の一例である。キャリッジ２３がロックされていないと判断された場合（Ｓ５１：Ｎｏ）、制御部１３０は、キャッピング処理を実行する（Ｓ５２）。ステップＳ５２の処理は、ステップＳ４６の処理と同一の処理である。そして、制御部１３０は、ロック処理を実行する（Ｓ５３）。ステップＳ５３の処理は、ステップＳ４７の処理と同一の処理である。
【００８０】
そして、制御部１３０は、シャットダウン処理を実行する（Ｓ５４）。シャットダウン処理は、例えば、保存する必要があるデータがＲＡＭ１３３に記憶されている場合に、そのデータをＥＥＰＲＯＭ１３４に記憶させた後、制御部１３０及び電源ボタン８３を除いた各部への電力の供給を停止させる処理である。一方、ステップＳ５１において、キャリッジ２３がロックされていると判断された場合（Ｓ５１：Ｙｅｓ）、制御部１３０は、キャッピング処理及びロック処理をスキップして（Ｓ５２及びＳ５３をスキップ）、シャットダウン処理を実行する（Ｓ５４）。
【００８１】
シャットダウン処理を実行した後、制御部１３０は、ＥＥＰＲＯＭ１３４に記憶されている正常終了カウンタの値をインクリメントした値を、新たな正常終了カウンタの値としてＥＥＰＲＯＭ１３４に記憶させる（Ｓ５５）。ステップＳ５５の処理は、正常終了カウント処理の一例である。そして、制御部１３０は、ＥＥＰＲＯＭ１３４に記憶されている正常終了カウンタの値が所定回数、例えば３であるか否かを判断する（Ｓ５６）。正常終了カウンタの値が所定回数、例えば３である場合（Ｓ５６：Ｙｅｓ）、制御部１３０は、ＥＥＰＲＯＭ１３４に記憶されている正常終了フラグをオフにする（Ｓ５７）。
【００８２】
そして、制御部１３０は、ＥＥＰＲＯＭ１３４に記憶されている維持時間の新たな値として第１時間、例えば５秒をＥＥＰＲＯＭ１３４に記憶させて（Ｓ５８）、通常処理を終了する。ステップＳ５８の処理は、変更処理の一例である。ステップＳ５６において、正常終了カウンタの値が所定回数でない場合（Ｓ５６：Ｎｏ）、制御部１３０は、正常終了フラグを変更せず、維持時間を変更せずに（ステップＳ５５及びステップＳ５６をスキップ）、通常処理を終了する。
【００８３】
ステップＳ５０において、電源ボタン８３がオフされていないと判断された場合（Ｓ５０：Ｎｏ）、制御部１３０は、通常処理を終了する。
【００８４】
［本実施形態の作用効果］
複合機１０が停止される際、キャッッピングが終了する前に、ユーザが電源プラグをコンセントから抜くなどして停止させた場合には、次回、電源部８１による電力の取得が開始されたときに、キャップ７１はキャップ位置にない（換言すればアンキャップ状態）。電源部８１による電力の取得が開始されたときにアンキャップ状態が発生しなかった場合は、記録処理が完了してから第１時間が経過した後、ノズル４０がキャップ７１によってキャッピングされる。電源部８１による電力の取得が開始されたときにアンキャップ状態であった場合が少なくとも１回以上となった場合は、記録処理が完了してから、第１時間より短い第２時間が経過した後、ノズル４０がキャッピングされる。
【００８５】
これにより、キャッッピングが終了する前に、ユーザが電源プラグをコンセントから抜くなどして複合機１０が停止された場合は、より早い時期にノズル４０がキャッピングされることとなる。そのため、複合機１０が停止される際、ノズル４０がキャッピングされる可能性が高くなる。よって、ノズル４０が乾燥することが抑制される。また、記録処理が完了した後、所定時間が経過する前に次の記録指示を受け付けた場合には、キャッピングされることなく次の記録処理が実行される。したがって、吐出不良が発生しない範囲で、記録のスループットを向上させることができる。
【００８６】
制御部１３０は、キャップ７１がキャップ位置にないと判定した回数を、異常終了カウンタをインクリメントすることによりカウントする。そして、制御部１３０は、異常終了カウンタの値が所定値の倍数に達する毎に、ＥＥＰＲＯＭ１３４に記憶されている維持時間より短い時間を維持時間としてＥＥＰＲＯＭ１３４に記憶させる。これにより、電源部８１による電力の取得が開始されたときにアンキャップ状態であることが複数回あった場合には、アンキャップ状態の回数がより多い場合に、記録処理が完了した後のより短い時間でノズル４０がキャッピングされる。そのため、複合機１０が停止される際、ノズル４０がキャッピングされる可能性が更に高くなる。
【００８７】
制御部１３０は、異常終了カウンタの値が閾値未満である場合には、異常終了カウンタの値が所定値の倍数に達する毎に、ＥＥＰＲＯＭ１３４に記憶されている維持時間から所定の第１減少幅を減算した値を維持時間としてＥＥＰＲＯＭ１３４に記憶させる。一方で制御部１３０は、異常終了カウンタの値が上記閾値以上である場合には、異常終了カウンタの値が所定値の倍数に達する毎に、ＥＥＰＲＯＭ１３４に記憶されている維持時間から第１減少幅より大きい第２減少幅を減算した値を維持時間としてＥＥＰＲＯＭ１３４に記憶させる。
【００８８】
これにより、電源部８１による電力の取得が開始されたときにアンキャップ状態であることが多くなると、記録処理が完了した後、キャッピングが行われるまでの時間が大幅に短くなる。これにより、複合機１０が停止される際、ノズル４０がキャッピングされる可能性が更に高くなる。
【００８９】
制御部１３０は、記録指示に係る記録処理が開始された後の所定時間内に、記録指示が取得された回数を取得数カウンタでカウントする。例えば制御部１３０が、操作部１７からのコピー開始指示の受け付け、通信部８７を通じたプリントジョブ受信やファックス受信した際に、制御部１３０が記録指示の取得回数を、カウントする。そして制御部１３０は、取得数カウンタの値が所定回数に達した場合に、ＥＥＰＲＯＭ１３４に記憶されている維持時間より長い時間を維持時間としてＥＥＰＲＯＭ１３４に記憶させる。
【００９０】
記録処理の実行中に次の記録指示が来た場合や、記録処理の終了後、所定の比較的短い時間内に次の記録指示が来た場合には、キャッピングが行われないことが好ましい。そのため、記録処理が開始された後の所定時間内（つまり、記録処理が開始されてから、記録処理が終了してから上記比較的短い時間が経過するまで）に、記録指示が取得された回数が所定回数に達した場合に、維持時間が、より長い時間に変更される。その結果、連続して記録処理が行われる場合に、キャッピングが行われる可能性が低くなる。
【００９１】
記録指示に係る記録処理が開始された後であって、且つ、当該記録指示が取得された時から、当該記録指示に係る記録処理が完了してから第１時間が経過した時までの間に次の記録指示が取得された場合は、維持時間が、より長い時間に変更される。また、記録指示に係る記録処理が完了した後のキャッピングが実行された時から、当該記録指示に係る記録処理が完了してから第１時間が経過した時までの間に次の記録指示が取得された場合は、維持時間が、より長い時間に変更される。
【００９２】
制御部１３０は、異常終了カウンタの値が所定の複数値に達した（換言すれば異常終了が複数回行われた）場合に、第１時間より短い時間を維持時間としてＥＥＰＲＯＭ１３４に記憶させる。そして制御部１３０は、キャップ７１がキャップ位置にないと判定された後、次に複合機１０に電源が投入されたときのキャップ７１がキャップ位置にあるか否かの判定により、キャップ７１がキャップ位置にあると判定した場合、異常終了カウンタの値が初期値にリセットされる。
【００９３】
電源部８１による電力の取得が開始されたときにアンキャップ状態であることは、キャッピング前にユーザにより電源プラグが抜かれた場合だけでなく、例えば、アンキャップ状態の時に停電が起こった場合にも発生する。停電のように発生頻度の低い事象によってアンキャップ状態が発生した場合は、制御部１３０は、キャップ７１がキャップ位置にないと判定された後の、次に複合機１０に電源が投入されたときのキャップ７１がキャップ位置にあるか否かの判定によりキャップ７１がキャップ位置にあると判定する。このようなアクシデントによりアンキャップ状態が発生した場合には、異常終了カウンタが初期値にリセットされるため、維持時間の変更に影響しない。そのため、不必要に維持時間が短縮されてしまうことを抑制することができる。
【００９４】
制御部１３０は、キャップ７１がキャップ位置にないと判定された後、次に複合機１０に電源が投入されたときのキャップ７１がキャップ位置にあるか否かの判定により、キャップ７１がキャップ位置にあると判定された場合、ＥＥＰＲＯＭ１３４に記憶されている維持時間より長い時間を維持時間としてＥＥＰＲＯＭ１３４に記憶させる。これにより、電源部８１による電力の取得が開始されたときにキャップ状態であった場合には、より長い時間に維持時間が変更される。そのため、複合機１０の使用が繰り返されるうちに、維持時間が適当な値になる。また、停電などの発生頻度の低い事象によって維持時間が短縮されてしまうことが抑制される。
【００９５】
制御部１３０は、電源ボタン８３の電源オフ操作が受け付けられた場合、キャップ７１をアンキャップ位置からキャップ位置に移動させるようにキャリッジ２３を制御する。その後、制御部１３０は、複合機１０への電力の供給を停止させる際に、電源ボタン８３の電源オフ操作が受け付けられたことによって複合機１０への電力の供給が停止されることを正常終了カウンタによってカウントする。そして、キャップ７１がキャップ位置にないと判定された後、次に複合機１０に電源が投入されたときにキャップ７１がキャップ位置にあるか否かの判定が行われる。この判定により、キャップ７１がキャップ位置にあると判定された場合、制御部１３０は、その後、正常終了カウンタが所定回数カウントアップされたときに、第１時間を維持時間としてＥＥＰＲＯＭ１３４に記憶させる。
【００９６】
これにより、電源ボタン８３の電源オフ操作により、複合機１０への電力供給の停止指示が受け付けられた場合には、キャッピングされた後、複合機１０への電力供給が停止される。そして、キャッピングされた後に複合機１０への電力供給が停止されること、（以下、「正常終了」という。）が所定回数行われた場合には、維持時間を第１時間に変更する。そのため、停電などの発生頻度の低い事象により、電源部８１による電力の取得が開始されたときにアンキャップ状態であったときには、所定回にわたって正常終了された場合、維持時間が第１時間にリセットされる。これにより、不必要に維持時間が短縮されてしまうことが抑制される。
【００９７】
なお、制御部１３０は、キャリッジ２３の移動が規制されているときに、キャップ７１がキャップ位置にあると判定し、キャリッジ２３の移動が規制されていないときに、キャップ７１がアンキャップ位置にあると判定する。
【００９８】
［第２実施形態］
図１０に示される通常処理に代えて、図１１に示される通常処理が実行されてもよい。図１１に示される通常処理における各ステップの処理内容は、図１０に示される通常処理の各ステップの処理内容と同一である。図１１において、図１０と同一の処理内容のステップについては、図１０と同一のステップ番号を付してある。したがって、各ステップの処理内容の説明については省略し、処理ステップの順番についての相違点についてのみ説明する。
【００９９】
図１０に示される通常処理においては、ステップＳ４４で維持時間が経過した後、ロック処理の完了していない場合には（Ｓ４５：Ｎｏ）、キャッピング処理（Ｓ４６）が実行されて、その後、ロック処理（Ｓ４７）が実行された。これに対し、図１１に示される通常処理においては、記録処理（Ｓ４２）が終了し、計時が開始された（Ｓ４３）後に、キャッピング処理が実行される（Ｓ４６）。すなわち、キャッピング処理は、記録処理終了直後に行われる。そして、維持時間が経過した後（Ｓ４４：Ｙｅｓ）、ロック処理の完了していない場合には（Ｓ４５：Ｎｏ）、ロック処理（Ｓ４７）が実行される。本実施形態においては、ロック処理が移動処理の一例である。
【０１００】
また、記録処理（Ｓ４２）終了直後にキャッピング処理（Ｓ４６）が実行されるため、電源ボタン８３がオフされたときには、既にキャップ状態にある。そのため、電源ボタン８３がオフされたときには、キャッピング処理は実行せず、ロック処理（Ｓ５３）を実行する。
【０１０１】
［第２実施形態の作用効果］
複合機１０が停止される際、ロックピン８５によるキャリッジ２３の移動規制が行われる前に、ユーザが電源プラグをコンセントから抜くなどして停止させた場合には、次回、電源部８１による電力の取得が開始されたときに、ロックピン８５がロック位置にない（換言すればアンロック状態）。そのため、キャップ７１はユーザ等により移動される可能性があり、キャップ７１が移動された場合には、キャップ７１はキャップ位置にない。電源部８１による電力の取得が開始されたときにアンロック状態が発生しなかった場合は、記録処理が完了してから第１時間が経過した後、ロックピン８５がロック位置に移動される。電源部８１による電力の取得が開始されたときにロックピン８５がアンロック位置であった場合が少なくとも１回以上となった場合は、記録処理が完了してから、第１時間より短い第２時間が経過した後、ロックピン８５がロック位置に移動される。
【０１０２】
これにより、ロックピン８５によるキャリッジ２３の移動規制が行われる前に、ユーザが電源プラグをコンセントから抜くなどして複合機１０が停止された場合は、より早い時期にキャリッジ２３の移動規制が行われることとなる。そのため、複合機１０が停止される際、ロックピン８５がロック位置にある可能性が高くなる。よって、キャリッジ２３の移動規制が行われていないことにより、キャップ７１がノズル形成面から離間されて、ノズル４０が乾燥することが抑制される。また、記録処理が完了した後、所定時間が経過する前に次の記録指示を受け付けた場合には、キャリッジ２３の移動規制が行われない。そのため、ロックピン８５をアンロック位置に移動させる必要がなくアンキャップのみが行われて次の記録が行われる。したがって、吐出不良が発生しない範囲で、記録のスループットを向上させることができる。
【０１０３】
制御部１３０は、ロックピン８５がロック位置にないと判定した回数を、異常終了カウンタをインクリメントすることによりカウントする。そして制御部１３０は、異常終了カウンタの値が所定値の倍数に達する毎に、ＥＥＰＲＯＭ１３４に記憶されている維持時間より短い時間を維持時間としてＥＥＰＲＯＭ１３４に記憶させる。これにより、電源部８１による電力の取得が開始されたときにアンロック状態であることが複数回あった場合には、アンロック状態の回数がより多い場合に、記録処理が完了した後のより短い時間でキャリッジ２３が移動規制される。そのため、複合機１０が停止される際、キャリッジ２３が移動規制される可能性が更に高くなる。
【０１０４】
制御部１３０は、異常終了カウンタの値が閾値未満である場合には、異常終了カウンタの値が所定値の倍数に達する毎に、ＥＥＰＲＯＭ１３４に記憶されている維持時間から所定の第１減少幅を減算した値を維持時間としてＥＥＰＲＯＭ１３４に記憶させる。そして制御部１３０は、異常終了カウンタの値が上記閾値以上である場合には、異常終了カウンタの値が所定値の倍数に達する毎に、ＥＥＰＲＯＭ１３４に記憶されている維持時間から第１減少幅より大きい第２減少幅を減算した値を維持時間としてＥＥＰＲＯＭ１３４に記憶させる。これにより、電源部８１による電力の取得が開始されたときにアンロック状態であることが多くなると、記録処理が完了した後、キャリッジ２３が移動規制されるまでの時間が大幅に短くなる。これにより、複合機１０が停止される際、キャリッジ２３が移動規制される可能性が更に高くなる。
【０１０５】
制御部１３０は、記録指示に係る記録処理が開始された後の所定時間内に、記録指示が取得された回数を取得数カウンタでカウントする。例えば制御部１３０が、操作部１７からのコピー開始指示の受け付け、通信部８７を通じたプリントジョブ受信やファックス受信した際に、制御部１３０が記録指示の取得回数を、カウントする。そして制御部１３０は、取得数カウンタの値が所定回数に達した場合に、ＥＥＰＲＯＭ１３４に記憶されている維持時間より長い時間を維持時間としてＥＥＰＲＯＭ１３４に記憶させる。
【０１０６】
記録処理の実行中に次の記録指示が来た場合や、記録処理の終了後、所定の比較的短い時間内に次の記録指示が来た場合には、キャリッジ２３の移動規制が行われないことが好ましい。そのため、記録処理が開始された後の所定時間内（つまり、記録処理が開始されてから、記録処理が終了してから上記比較的短い時間が経過するまで）に、記録指示が取得された回数が所定回数に達した場合に、維持時間が、より長い時間に変更される。その結果、連続して記録処理が行われる場合に、キャリッジ２３の移動規制が行われる可能性が低くなる。
【０１０７】
記録指示に係る記録処理が開始された後であって、且つ、当該記録指示が取得された時から、当該記録指示に係る記録処理が完了してから第１時間が経過した時までの間に次の記録指示が取得された場合は、維持時間が、より長い時間に変更される。また、記録指示に係る記録処理が完了した後のキャリッジ２３の移動規制が実行された時から、当該記録指示に係る記録処理が完了してから第１時間が経過した時までの間に次の記録指示が取得された場合は、維持時間が、より長い時間に変更される。
【０１０８】
制御部１３０は、異常終了カウンタの値が所定の複数値に達した（換言すれば異常終了が複数回行われた）場合に、第１時間より短い時間を維持時間としてＥＥＰＲＯＭ１３４に記憶させる。そして制御部１３０は、ロックピン８５がロック位置にないと判定された後、次に複合機１０に電源が投入されたときのキャリッジ２３がロックされているか否かの判定により、ロックピン８５がロック位置にあると判定された場合、異常終了カウンタの値が初期値にリセットされる。
【０１０９】
電源部８１による電力の取得が開始されたときにアンロック状態であることは、キャリッジ２３の移動規制前にユーザにより電源プラグが抜かれた場合だけでなく、例えば、アンロック状態の時に停電が起こった場合にも発生する。停電のように発生頻度の低い事象によってアンロック状態が発生した場合は、制御部１３０は、ロックピン８５がロック位置にないと判定された後、次に複合機１０に電源が投入されたときのキャリッジ２３がロックされているか否かの判定によりロックピン８５がロック位置にあると判定する。このようなアクシデントによりアンロック状態が発生した場合には、異常終了カウンタが初期値にリセットされるため、維持時間の変更に影響しない。そのため、不必要に維持時間が短縮されてしまうことを抑制することができる。
【０１１０】
制御部１３０は、ロックピン８５がロック位置にないと判定された後、次に複合機１０に電源が投入されたときのキャリッジ２３がロックされているか否かの判定により、ロックピン８５がロック位置にあると判定された場合、ＥＥＰＲＯＭ１３４に記憶されている維持時間より長い時間を維持時間としてＥＥＰＲＯＭ１３４に記憶させる。これにより、電源部８１による電力の取得が開始されたときにロック状態であった場合には、より長い時間に維持時間が変更される。そのため、複合機１０の使用が繰り返されるうちに、維持時間が適当な値になる。また、停電などの発生頻度の低い事象によって維持時間が短縮されてしまうことが抑制される。
【０１１１】
制御部１３０は、電源ボタン８３の電源オフ操作が受け付けられた場合、ロックピン８５をアンロック位置からロック位置に移動させるようにポート切替機構９０を制御する。その後制御部１３０は、複合機１０への電力の供給を停止させる際に、電源ボタン８３の電源オフ操作の受け付けられたことによって複合機１０への電力の供給が停止されることを正常終了カウンタによってカウントする。そして、ロックピン８５がロック位置にないと判定された後、次に複合機１０に電源が投入されたときにキャリッジ２３がロックされているか否かの判定が行われる。この判定により、ロックピン８５がロック位置にあると判定された場合、制御部１３０は、その後、正常終了カウンタが所定回数カウントアップされたときに、第１時間を維持時間としてＥＥＰＲＯＭ１３４に記憶させる。
【０１１２】
これにより、電源ボタン８３の電源オフ操作により、複合機１０への電力供給の停止指示が受け付けられた場合には、キャリッジ２３が移動規制された後、複合機１０への電力供給が停止される。そして、キャリッジ２３が移動規制された後に複合機１０への電力供給が停止されること、（以下、「正常終了」という。）が所定回数行われた場合には、制御部１３０は、維持時間を第１時間に変更する。そのため、停電などの発生頻度の低い事象により、電源部８１による電力の取得が開始されたときにアンロック状態であったときには、所定回にわたって正常終了された場合、維持時間が第１時間にリセットされる。これにより、不必要に維持時間が短縮されてしまうことが抑制される。
【０１１３】
なお、制御部１３０は、キャリッジ２３の移動が規制されているときに、ロックピン８５がロック位置にあると判定し、キャリッジ２３の移動が規制されていないときに、ロックピン８５がアンロック位置にあると判定する。
【０１１４】
［変形例］
なお、前述の実施形態では、ステップＳ１４の処理において、異常終了カウンタの値が閾値以上、例えば１０以上である場合（Ｓ１４：Ｙｅｓ）、制御部１３０によって、維持時間の値から第１減少幅より大きい第２減少幅、例えば５秒を減らした値が、新たな維持時間としてＥＥＰＲＯＭ１３４に記憶された（Ｓ１９）。しかしながら、ステップＳ１９の処理に代えて、ＥＥＰＲＯＭ１３４に記憶されている維持時間の値として、０をＥＥＰＲＯＭ１３４に記憶させるようにしてもよい。これにより、異常終了カウンタの値が閾値を超えた場合には、維持時間がすぐに０になる。
【０１１５】
また、前述の実施形態では、ステップＳ２０の処理において、異常終了フラグがオンにされていると判断された場合（Ｓ２０：Ｙｅｓ）、異常終了カウンタの新たな値として初期値、例えば０がＥＥＰＲＯＭ１３４に記憶された（Ｓ２１）。そして、正常終了フラグがオンにされて（Ｓ２２）、正常終了カウンタの新たな値として初期値、例えば０がＥＥＰＲＯＭ１３４に記憶された（Ｓ２３）。しかしながら、ステップＳ２１，Ｓ２２，Ｓ２３の処理に代えて、ＥＥＰＲＯＭ１３４に記憶されている維持時間の値を第１時間、例えば５秒を超えない範囲で１秒増やした値を、新たな維持時間としてＥＥＰＲＯＭ１３４に記憶させてもよい。これにより、複合機１０が異常終了した後、次の停止において、正常終了したときは、停電などにより複合機１０が異常終了した可能性が高いので、維持時間が５秒を超えない範囲で１秒増やされる。
【０１１６】
前述の実施形態においては、キャップ７１がキャップ位置にあるか否か、及びロックピン８５がロック位置にあるか否かは、キャリッジ２３を移動させるべくキャリッジモータ１０３を動作させ、キャリッジ２３が移動するか否かによって判定した。しかし、例えば、キャップ７１がキャップ位置にあるか否かを検出するセンサによって、キャップ７１がキャップ位置にあるか否かを判定してもよい。また、ロックピン８５がロック位置にあるか否かを検出するセンサによって、ロックピン８５がロック位置にあるか否かを判定してもよい。
【０１１７】
前述の実施形態においては、キャップ７１は、リフトアップ機構７３により、キャリッジ２３が収納位置に移動することに連動してキャップ７１を上昇させ、キャリッジ２３が収納位置から離れるように移動することに連動してキャップ７１を下降させた。しかし、キャップ７１のキャップ位置とアンキャップ位置との間の移動は、キャリッジ２３の移動と必ずしも連動されている必要はなく、例えば、搬送モータ１０２及びキャリッジモータ１０３とは異なるモータの駆動によってキャップ７１を移動させてもよい。
【符号の説明】
【０１１８】
１０・・・複合機
１７・・・操作部
２３・・・キャリッジ
３９・・・記録ヘッド
４０・・・ノズル
７０・・・メンテナンス機構
７１・・・キャップ
７３・・・リフトアップ機構
８１・・・電源部
８３・・・電源ボタン
８５・・・ロックピン
８７・・・通信部
９０・・・ポート切替機構
１０２・・・搬送モータ
１３０・・・制御部
１３１・・・ＣＰＵ
１３２・・・ＲＯＭ
１３３・・・ＲＡＭ
１３４・・・ＥＥＰＲＯＭ
【図１】
0006613775.tif 000002
【図２】
0006613775.tif 000003
【図３】
0006613775.tif 000004
【図４】
0006613775.tif 000005
【図５】
0006613775.tif 000006
【図６】
0006613775.tif 000007
【図７】
0006613775.tif 000008
【図８】
0006613775.tif 000009
【図９】
0006613775.tif 000010
【図１０】
0006613775.tif 000011
【図１１】
0006613775.tif 000012